(57)【特許請求の範囲】
【請求項１】
一対の信号線からなる差動信号線を介して送信側又は受信側に接続され、前記送信側に接続されたときは前記一対の信号線のうち一方の信号線によって信号を受信し、前記受信側に接続されたときは前記一対の信号線のうち他方の信号線によって信号を送信する送受信部と、
前記送受信部によって送信又は受信される信号を処理する信号処理部と、
前記送信側から前記一方の信号線を介して受信した信号の極性を判定する極性判定部と、
前記極性判定部が判定した前記信号の極性が逆極性であるとき、前記送信側から前記一方の信号線を介して受信した前記信号の極性を反転する極性反転部とを備えた送受信装置。
【請求項２】
一対の信号線からなる第１の差動信号線を介して受信側又は送信側の一方に接続され、前記送信側に接続されたときは前記第１の差動信号線のうち一方の信号線によって信号を受信し、前記受信側に接続されたときは前記第１の差動信号線のうち他方の信号線によって信号を送信する第１の送受信部と、
他の一対の信号線からなる第２の差動信号線を介して受信側又は送信側の他方に接続され、前記送信側に接続されたときは前記第２の差動信号線のうち一方の信号線によって信号を受信し、前記受信側に接続されたときは前記第２の差動信号線のうち他方の信号線によって信号を送信する第２の送受信部と、
前記第１又は第２の送受信部によって送信又は受信される信号を処理する信号処理部と、
前記送信側から前記第１又は第２の信号線のうち前記一方の信号線を介して受信した信号の極性を判定する極性判定部と、
前記極性判定部が判定した前記信号の極性が逆極性であるとき、前記送信側から前記第１又は第２の信号線のうち前記一方の信号線を介して受信した前記信号の極性を反転する極性反転部とを備える送受信装置。
【請求項３】
前記送信側から受信した信号に基づいて、前記第１及び第２の送受信部のうち何れの送受信部によって前記受信側への送信及び前記送信側からの受信を行うかを切り替える切替部を備えた請求項２に記載の送受信装置。
【請求項４】
請求項２又は３に記載の送受信装置と、
前記第１の差動信号線又は前記第２の差動信号線の一方からの信号を入力する前記受信側の差動受信器、及び前記第１の差動信号線又は前記第２の差動信号線の他方に差動信号を出力する前記送信側の差動増幅器を有する受送信装置とを備えた信号伝送装置。
【発明の詳細な説明】
【技術分野】
【０００１】
本発明は、送受信装置及び信号伝送装置に関する。
【背景技術】
【０００２】
従来、例えばコンピュータとスキャナ等の周辺装置との接続には、所謂ＲＳ−２３２Ｃ等の通信ケーブルが使用されている。この種の通信ケーブルには、コネクタの同一ピン番号のコネクタピン同士を接続したストレートケーブルと、異なるピン番号のコネクタピンを接続したクロスケーブルとが存在し、用途や機器の仕様によってこれら２種類のケーブルが使い分けられている。
【０００３】
これらのケーブルには互換性がないため、ケーブルの種類を誤って接続した場合には、受信側同士又は送信側同士が接続されて通信を行うことができない。そこで、ストレートケーブルとして使用するか、クロスケーブルとして使用するかを切り替え可能な通信ケーブルが提案されている（特許文献１参照）。
【０００４】
特許文献１に記載の通信ケーブルは、コネクタに信号線の接続状態を切り替える切替スイッチを内蔵し、この切替スイッチをコネクタの外部から操作することによって、ストレートケーブルとしての接続状態とクロスケーブルとしての接続状態とを切り替え可能に構成されている。
【先行技術文献】
【特許文献】
【０００５】
【特許文献１】特開２００３−２２７１７号公報
【発明の概要】
【発明が解決しようとする課題】
【０００６】
本発明の目的は、一対の信号線からなる差動信号線に接続された送受信部が差動信号線を介して送信側又は受信側の何れに接続された場合にも通信を行うことが可能な送受信装置、及びそれを備えた信号伝送装置を提供することにある。
【課題を解決するための手段】
【０００７】
［１］一対の信号線からなる差動信号線を介して送信側又は受信側に接続され、前記送信側に接続されたときは前記一対の信号線のうち一方の信号線によって信号を受信し、前記受信側に接続されたときは前記一対の信号線のうち他方の信号線によって信号を送信する送受信部と、前記送受信部によって送信又は受信される信号を処理する信号処理部と、前記送信側から前記一方の信号線を介して受信した信号の極性を判定する極性判定部と、前記極性判定部が判定した前記信号の極性が逆極性であるとき、前記送信側から前記一方の信号線を介して受信した前記信号の極性を反転する極性反転部とを備えた送受信装置。
【０００８】
［２］一対の信号線からなる第１の差動信号線を介して受信側又は送信側の一方に接続され、前記送信側に接続されたときは前記第１の差動信号線のうち一方の信号線によって信号を受信し、前記受信側に接続されたときは前記第１の差動信号線のうち他方の信号線によって信号を送信する第１の送受信部と、他の一対の信号線からなる第２の差動信号線を介して受信側又は送信側の他方に接続され、前記送信側に接続されたときは前記第２の差動信号線のうち一方の信号線によって信号を受信し、前記受信側に接続されたときは前記第２の差動信号線のうち他方の信号線によって信号を送信する第２の送受信部と、前記第１又は第２の送受信部によって送信又は受信される信号を処理する信号処理部と、前記送信側から前記第１又は第２の信号線のうち前記一方の信号線を介して受信した信号の極性を判定する極性判定部と、前記極性判定部が判定した前記信号の極性が逆極性であるとき、前記送信側から前記第１又は第２の信号線のうち前記一方の信号線を介して受信した前記信号の極性を反転する極性反転部とを備える送受信装置。
【００１０】
［３］前記送信側から受信した信号に基づいて、前記第１及び第２の送受信部のうち何れの送受信部によって前記受信側への送信及び前記送信側からの受信を行うかを切り替える切替部を備えた前記［２］に記載の送受信装置。
【００１１】
［４］前記［２］又は［３］に記載の送受信装置と、前記第１の差動信号線又は前記第２の差動信号線の一方からの信号を入力する前記受信側の差動受信器、及び前記第１の差動信号線又は前記第２の差動信号線の他方に差動信号を出力する前記送信側の差動増幅器を有する受送信装置とを備えた信号伝送装置。
【発明の効果】
【００１２】
請求項１に記載の発明によれば、送受信部が送信側又は受信側の何れに接続された場合にも通信を行うことが可能となるとともに、送信側から受信した信号が逆極性である場合にも正常に通信を行うことが可能となる。
【００１３】
請求項２に記載の発明によれば、第１の送受信部及び第２の送受信部が送信側又は受信側の何れに接続された場合にも通信を行うことが可能となるとともに、送信側から受信した信号が逆極性である場合にも正常に通信を行うことが可能となる。
【００１５】
請求項３に記載の発明によれば、第１及び第２の送受信部と送信側及び受信側との配線が切り替えられた場合にも、通信を行うことが可能となる。
【００１６】
請求項４に記載の発明によれば、第１の送受信部及び第２の送受信部が受送信装置の送信側又は受信側の何れに接続された場合にも通信を行うことが可能となる。
【図面の簡単な説明】
【００１７】
【図１】本発明の第１の実施の形態に係る送受信装置に送信装置が接続された場合の構成例を示す概略図である。
【図２】本発明の第１の実施の形態に係る送受信装置に受信装置が接続された場合の構成例を示す概略図である。
【図３】本発明の第２の実施の形態に係る送受信装置がストレートケーブルによって受送信装置と接続された場合の信号伝送装置の構成例を示す概略図である。
【図４】本発明の第２の実施の形態に係る送受信装置がクロスケーブルによって受送信装置と接続された場合の信号伝送装置の構成例を示す概略図である。
【図５】本発明の第２の実施の形態に係る極性判定部及び極性反転部の構成の具体例を示す概略の回路図である。
【図６】本発明の第２の実施の形態に係る識別部及び切替部の構成の具体例を示す概略の回路図である。
【発明を実施するための形態】
【００１８】
［第１の実施の形態］
本発明の第１の実施の形態について、図１及び図２を参照して説明する。
図１は、本実施の形態に係る送受信装置に送信装置が接続された場合の信号伝送装置の構成例を示す概略図である。
図２は、本実施の形態に係る送受信装置に受信装置が接続された場合の信号伝送装置の構成例を示す概略図である。
【００１９】
（送受信装置の構成）
この送受信装置１には、通信ケーブル２を介して送信装置３（図１に示す）又は受信装置４（図２に示す）が接続される。送受信装置１は、送信装置３が接続された場合には、送信装置３と共に、この送信装置３から信号を受信する信号伝送装置１０１を構成する。また、送受信装置１は、受信装置４が接続された場合には、受信装置４と共に、この受信装置４に信号を送信する信号伝送装置１０２を構成する。送信装置３は本発明の送信側の一例であり、受信装置４は本発明の受信側の一例である。
【００２０】
送受信装置１は、受信増幅器（レシーバ）１１及び送信増幅器（トランシーバ）１２を有する送受信部１０と、通信ケーブル２が着脱可能に接続されるコネクタ部１３と、送受信部１０によって送信装置３から受信した信号又は受信装置４に送信する信号を処理する信号処理部１４とを有している。
【００２１】
コネクタ部１３には、受信増幅器１１の入力側に接続される第１の端子１３ａと、送信増幅器１２の出力側に接続される第２の端子１３ｂと、第１及び第２の端子１３ａ，１３ｂを囲むように設けられた導電性のシェル１３ｃが設けられている。シェル１３ｃは、送受信装置１の基準電位（０Ｖ）に接続されている。
【００２２】
受信増幅器１１は、第１の端子１３ａを介して入力された信号の電位が基準電位に対して予め定められた閾値以上である場合にはオン信号（１）を、閾値未満である場合にはオフ信号（０）を信号処理部１４に出力する。
【００２３】
送信増幅器１２は、信号処理部１４から入力されたオン信号（１）又はオフ信号（０）を増幅し、第２の端子１３ｂを介して信号を出力する。
【００２４】
信号処理部１４は、例えばＡＳＩＣ（Application Specific Integrated Circuit：特定用途向け集積回路）等のハードウェア、又は予め記憶されたプログラムに従って動作するＣＰＵ（Central Processing Unit：中央処理装置）等から構成され、受信増幅器１１によって送信装置３から受信した信号の処理、又は送信増幅器１２によって受信装置４に送信する信号の処理を実行する。この信号処理部１４は、例えば受信増幅器１１によって送信装置３から受信した信号の情報を一時記憶して他の装置に転送し、又は他の装置から受信装置４に転送すべき情報を受け付けて一時記憶し、１ビットごとに送信増幅器１２に出力する処理を行う。
【００２５】
（通信ケーブルの構成）
通信ケーブル２は、本体部２Ａと第１及び第２のコネクタ部２Ｂ，２Ｃとを有して構成される。
【００２６】
本体部２Ａは、差動信号線２０と、差動信号線２０をシールドする導電性の編み線又は金属箔からなるシールド線２３とを図略の絶縁樹脂からなるシースで覆って構成されている。また、差動信号線２０は、互いに撚り合わされたツイストペア線として構成された一対の第１の信号線２１及び第２の信号線２２からなる。
【００２７】
第１のコネクタ部２Ｂは、本体部２Ａの一端部に設けられ、導電性のシェル２４ｃと、シェル２４ｃの内方に設けられた第１の端子２４ａ及び第２の端子２４ｂとを有している。また、第２のコネクタ部２Ｃは、本体部２Ａの他端部に設けられ、導電性のシェル２５ｃと、シェル２５ｃの内方に設けられた第３の端子２５ａ及び第４の端子２５ｂとを有している。
【００２８】
第１の信号線２１の一端部には第１の端子２４ａが接続され、他端部には第３の端子２５ａが接続されている。また、第２の信号線２２の一端部には第２の端子２４ｂが接続され、他端部には第４の端子２５ｂが接続されている。また、シールド線２３の一端部はシェル２４ｃに接続され、他端部はシェル２５ｃに接続されている。
【００２９】
（送信装置の構成）
送信装置３は、信号処理部３０と、信号処理部３０から入力された信号を増幅かつ差動出力する差動増幅器（差動トランシーバ）３１と、通信ケーブル２が着脱可能に接続されるコネクタ部３２とを有している。
【００３０】
信号処理部３０は、例えばＡＳＩＣ等のハードウェアや、予め記憶されたプログラムに従って動作するＣＰＵ等から構成され、差動増幅器３１によって送受信装置１に送信する信号を生成する処理を実行する。
【００３１】
差動増幅器３１は、信号処理部３０から入力された信号を差動増幅した第１の出力信号と第２の出力信号とを出力する。第１の出力信号及び第２の出力信号は、互いに極性が反転した逆符号の信号であり、信号処理部３０からオン信号（１）が入力された場合には第１の出力信号の電位が第２の出力信号の電位よりも高く、信号処理部３０からオフ信号（０）が入力された場合には第１の出力信号の電位が第２の出力信号の電位よりも低くなる。
【００３２】
コネクタ部３２には、差動増幅器３１の出力側に接続されて第１の出力信号を伝送する第１の端子３２ａと、第２の出力信号を伝送する第２の端子３２ｂと、第１及び第２の端子３２ａ，３２ｂを囲むように設けられた導電性のシェル３２ｃとが設けられている。シェル３２ｃは、送信装置３の基準電位に接続されている。
【００３３】
（受信装置の構成）
受信装置４は、差動受信器（差動レシーバ）４１と、差動受信器４１によって受信した信号を処理する信号処理部４０と、通信ケーブル２が着脱可能に接続されるコネクタ部４２とを有している。
【００３４】
コネクタ部４２には、差動受信器４１の入力側に接続される第１の端子４２ａ及び第２の端子４２ｂと、第１及び第２の端子４２ａ，４２ｂを囲むように設けられた導電性のシェル４２ｃが設けられている。シェル４２ｃは、受信装置４の基準電位に接続されている。
【００３５】
差動受信器４１は、その入力側が第１の端子４２ａ及び第２の端子４２ｂに接続され、第１の端子４２ａの電位と第２の端子４２ｂの電位の何れが高いかによって出力信号が変化する。より具体的には、第１の端子４２ａの電位が第２の端子４２ｂの電位よりも高い場合にはオン信号（１）を出力し、第２の端子４２ｂの電位が第１の端子４２ａの電位よりも高い場合にはオフ信号（０）を出力する。なお、第１の端子４２ａ及び第２の端子４２ｂと差動受信器４１との間の信号線には、図略の終端抵抗が接続されている。
【００３６】
（送信装置が接続された場合の送受信装置の動作）
送受信装置１に送信装置３が接続された場合、図１に示すように、送信装置３のコネクタ部３２の第１の端子３２ａと、送受信装置１のコネクタ部１３の第１の端子１３ａとが、通信ケーブル２の第３の端子２５ａ，第１の信号線２１，第１の端子２４ａを介して電気的に接続される。また、送信装置３のコネクタ部３２の第２の端子３２ｂと、送受信装置１のコネクタ部１３の第２の端子１３ｂとが、通信ケーブル２の第４の端子２５ｂ，第２の信号線２２，第２の端子２４ｂを介して電気的に接続される。
【００３７】
また、送信装置３の基準電位と送受信装置１の基準電位とは、共に通信ケーブル２のシールド線２３に電気的に接続されるので、送信装置３と送受信装置１との基準電位は共通となる。
【００３８】
信号処理部３０が信号を差動増幅器３１に出力すると、差動増幅器３１はこの信号を差動増幅し、第１の出力信号及び第２の出力信号を出力する。第１の出力信号は、差動信号線２０の第１の信号線２１を介して送受信装置１に伝送される。また、第２の出力信号は、差動信号線２０の第２の信号線２２を介して送受信装置１に伝送される。
【００３９】
第１の信号線２１を介して送受信装置１に伝送された第１の出力信号は、受信増幅器１１に入力される。受信増幅器１１は、この入力された信号の電位が基準電位に対して予め定められた閾値以上である場合にはオン信号（１）を出力し、閾値未満である場合にはオフ信号（０）を出力する。つまり、送受信装置１は、所謂シングルエンド伝送によって送信装置３から送信された信号を受信する。
【００４０】
一方、送信装置３の差動増幅器３１の第２の出力信号は、受信増幅器１１に入力されず、ハイインピーダンス状態となっている送信増幅器１２の出力側に伝送される。従って、この第２の出力信号は、送信装置３と送受信装置１との間の通信に関与しない。
【００４１】
信号処理部１４は、送信装置３の差動増幅器３１の第１の出力信号に基づく受信増幅器１１の出力信号を入力し、予め定められた内容の処理を実行する。
【００４２】
（受信装置が接続された場合の送受信装置の動作）
送受信装置１に受信装置４が接続された場合、図２に示すように、受信装置４のコネクタ部４２の第１の端子４２ａと、送受信装置１のコネクタ部１３の第１の端子１３ａとが、通信ケーブル２の第３の端子２５ａ，第１の信号線２１，第１の端子２４ａを介して電気的に接続される。また、受信装置４のコネクタ部４２の第２の端子３２ｂと、送受信装置１のコネクタ部１３の第２の端子１３ｂとが、通信ケーブル２の第４の端子２５ｂ，第２の信号線２２，第２の端子２４ｂを介して電気的に接続される。
【００４３】
また、受信装置４の基準電位と送受信装置１の基準電位とは、共に通信ケーブル２のシールド線２３に電気的に接続されるので、受信装置４と送受信装置１との基準電位は共通となる。
【００４４】
送受信装置１の信号処理部１４が送信増幅器１２に信号を出力すると、送信増幅器１２は、その信号を増幅し、第２の端子１３ｂを介して出力する。送信増幅器１２の出力信号は、差動信号線２０の第２の信号線２２を介して受信装置４に伝送される。一方、差動信号線２０の第１の信号線２１には、送信増幅器１２の出力が伝達されない。
【００４５】
第２の信号線２２を介して伝送される信号は、受信装置４の第２の端子４２ｂから差動受信器４１の一方の入力端子に伝達される。差動受信器４１は、この一方の入力端子に伝達された信号に基づいて、オン（１）又はオフ（０）の信号を信号処理部４０に出力する。なお、第１の端子４２ａに接続された差動受信器４１の他方の入力端子には、送受信装置１からの信号が伝達されないので、終端抵抗によって定まる電位の信号が入力される。この電位は、差動受信器４１の入力側において、送受信装置１の送信増幅器１２がオン信号を出力した場合の電位と、オフ信号を出力した場合の電位との間の電位に設定される。つまり、受信装置４は、所謂シングルエンド伝送によって送受信装置１から送信された信号を受信する。
【００４６】
受信装置４の信号処理部４０は、差動受信器４１の出力信号を入力し、予め定められた内容の処理を実行する。
【００４７】
（本実施の形態の作用）
【００４８】
以上説明したように、送受信装置１は、差動信号線２０を構成する一対の信号線２１，２２のうち、一方の信号線に接続された受信増幅器１１によって送信側からの信号を受信し、他方の信号線に接続された送信増幅器１２によって受信側に信号を送信する。本実施の形態によれば、送受信装置１に送信装置３又は受信装置４の何れが接続された場合でも、ユーザが送信／受信の切り替えスイッチ等を操作することなく通信を行える。
【００４９】
なお、上記実施の形態では、差動信号線の一対の信号線のうちの一方のみを使用して送信又は受信をシングルエンド伝送で行うため、差動信号線の一対の信号線の両方を使用するディファレンシャル伝送の場合に比較してケーブル長に制約があるが、シングルエンド伝送が可能な範囲のケーブル長であれば問題なく通信を行うことが可能である。例えば、シングルエンド伝送によるＳＣＳＩ（Small Computer System Interface）の規格では、ケーブル長は６ｍ以下とされており、通信ケーブル２のケーブル長がこの範囲であれば、通信を行うことが可能である。
【００５０】
［第２の実施の形態］
次に、本発明の第２の実施の形態について、図３〜図６を参照して説明する。本実施の形態に係る信号伝送装置は、送受信装置と、この送受信装置と通信を行う受送信装置と、送受信装置と受送信装置とを接続する通信ケーブルとを有して構成されている。この信号伝送装置は、例えば画像読取装置で読み取った原稿画像の３つの異なる色成分の画像情報を転送するために用いられる。
【００５１】
（信号伝送装置の第１の全体構成例）
図３は、本実施の形態に係る送受信装置５と、送受信装置５との通信を行う受送信装置６と、送受信装置５と受送信装置６とを接続する通信ケーブル７とによって信号伝送装置１００を構成した場合の構成例を示す図である。この通信ケーブル７はストレートケーブルであり、受信装置５のコネクタ部５０の第１の端子５０ａと受送信装置６のコネクタ部６０の第１の端子６０ａと接続し、以下同様にコネクタ部５０の第２〜第８の端子５０ｂ〜５０ｈとコネクタ部６０の第２〜第８の端子６０ｂ〜６０ｈとをそれぞれ接続する。
【００５２】
（受送信装置の構成）
受送信装置６は、第１〜第４のポート６１〜６４を有し、これらの各ポートによって並行して通信を行うことが可能に構成されている。本実施の形態では、第１〜第３のポート６１〜６３が信号処理部６５で処理された信号を送受信装置５に送信する送信ポートとして構成され、第４のポート６４が送受信装置５から受信した信号を信号処理部６５に出力する受信ポートとして構成されている。第１〜第３のポート６１〜６３は、本発明の送信側の一例である。第４のポート６４は、本発明の受信側の一例である。
【００５３】
第１のポート６１は、第１の差動増幅器６１０を有し、信号処理部６５から第１の差動増幅器６１０に入力された信号を差動増幅してコネクタ部６０の第１の端子６０ａ及び第２の端子６０ｂから送信する。第２のポート６２は、第２の差動増幅器６２０を有し、信号処理部６５から第２の差動増幅器６２０に入力された信号を差動増幅してコネクタ部６０の第３の端子６０ｃ及び第４の端子６０ｄから送信する。第３のポート６３は、第３の差動増幅器６３０を有し、信号処理部６５から第３の差動増幅器６３０に入力された信号を差動増幅してコネクタ部６０の第５の端子６０ｅ及び第６の端子６０ｆから送信する。
【００５４】
また、第４のポート６４は、コネクタ部６０の第７の端子６０ｇ及び第８の端子６０ｈからの信号を入力する差動受信器６４０を有し、これら２つの入力信号の電位のうち、何れの電位が高いかによってオン信号（１）又はオフ信号（０）を信号処理部６５に出力する。第７の端子６０ｇ及び第８の端子６０ｈと差動受信器６４０との間の信号線には、図略の終端抵抗が接続されている。
【００５５】
コネクタ部６０の導電性のシェル６０ｉは、受送信装置６の基準電位に接続されている。
【００５６】
（通信ケーブルの構成）
通信ケーブル７は、本体部７Ａと第１及び第２のコネクタ部７Ｂ，７Ｃからなる。本体部７Ａは、第１〜第４の差動信号線７１〜７４と、第１〜第４の差動信号線７１〜７４をシールドする導電性の編み線又は金属箔からなるシールド線７５とを図略の絶縁樹脂からなるシースで覆って構成されている。また、第１の差動信号線７１は、互いに撚り合わされたツイストペア線として構成された一対の第１の信号線７１ａ及び第２の信号線７１ｂからなる。以下同様に、第２〜第４の差動信号線７２〜７４は、互いに撚り合わされたツイストペア線として構成された一対の第１の信号線７２ａ〜７４ａ及び第２の信号線７２ｂ〜７４ｂからなる。
【００５７】
第１のコネクタ部７Ｂは、本体部７Ａの一端部に設けられ、導電性のシェル７６ｉと、シェル７６ｉの内方に設けられた第１〜第８の端子７６ａ〜７６ｈとを有している。また、第２のコネクタ部７Ｃは、本体部７Ａの他端部に設けられ、導電性のシェル７７ｉと、シェル７７ｉの内方に設けられた第１〜第８の端子７７ａ〜７７ｈとを有している。シェル７６ｉ及びシェル７７ｉは、シールド線７５に電気的に接続されている。これにより、送受信装置５及び受送信装置６の基準電位が共通となる。
【００５８】
第１の差動信号線７１は、第１のコネクタ部７Ｂの第１の端子７６ａと第２のコネクタ部７Ｃの第１の端子７７ａとを接続する第１の信号線７１ａと、第１のコネクタ部７Ｂの第２の端子７６ｂと第２のコネクタ部７Ｃの第２の端子７７ｂとを接続する第２の信号線７１ｂとからなる。第２〜第４の差動信号線７２〜７４も同様に構成されているので、対応する符号を付して説明を省略する。
【００５９】
（信号伝送装置の第２の全体構成例）
図４は、送受信装置５と受送信装置６とが通信ケーブル８により接続された場合の信号伝送装置１００の構成例を示す図である。この通信ケーブル８はクロスケーブルであり、受信装置５のコネクタ部５０の第１の端子５０ａと受送信装置６のコネクタ部６０の第８の端子６０ｈとを接続し、以下同様にコネクタ部５０の第２〜第８の端子５０ｂ〜５０ｈとコネクタ部６０の第７〜第１の端子６０ｇ〜６０ａとをそれぞれ接続する。
【００６０】
（通信ケーブルの構成）
通信ケーブル８は、本体部８Ａと第１及び第２のコネクタ部８Ｂ，８Ｃからなる。本体部８Ａは、第１〜第４の差動信号線８１〜８４と、第１〜第４の差動信号線８１〜８４をシールドする導電性の編み線又は金属箔からなるシールド線８５とを図略の絶縁樹脂からなるシースで覆って構成されている。
【００６１】
第１のコネクタ部８Ｂは、本体部８Ａの一端部に設けられ、導電性のシェル８６ｉと、シェル８６ｉの内方に設けられた第１〜第８の端子８６ａ〜８６ｈとを有している。また、第２のコネクタ部８Ｃは、本体部８Ａの他端部に設けられ、導電性のシェル８７ｉと、シェル８７ｉの内方に設けられた第１〜第８の端子８７ａ〜８７ｈとを有している。シェル８６ｉ及びシェル８７ｉは、シールド線８５に電気的に接続されている。
【００６２】
第１の差動信号線８１は、第２のコネクタ部８Ｃの第１の端子８７ａと第２のコネクタ部８Ｂの第８の端子８６ｈとを接続する第１の信号線８１ａと、第２のコネクタ部８Ｃの第２の端子８７ｂと第１のコネクタ部８Ｂの第７の端子８６ｇとを接続する第２の信号線８１ｂとからなる。第２の差動信号線８２は、第２のコネクタ部８Ｃの第３の端子８７ｃと第１のコネクタ部８Ｂの第６の端子８６ｆとを接続する第１の信号線８２ａと、第２のコネクタ部８Ｃの第４の端子８７ｄと第１のコネクタ部８Ｂの第５の端子８６ｅとを接続する第２の信号線８２ｂとからなる。
【００６３】
第３の差動信号線８３は、第２のコネクタ部８Ｃの第５の端子８７ｅと第１のコネクタ部８Ｂの第４の端子８６ｄとを接続する第１の信号線８３ａと、第２のコネクタ部８Ｃの第６の端子８７ｆと第１のコネクタ部８Ｂの第３の端子８６ｃとを接続する第２の信号線８３ｂとからなる。第４の差動信号線８４は、第２のコネクタ部８Ｃの第７の端子８７ｇと第１のコネクタ部８Ｂの第２の端子８６ｂとを接続する第１の信号線８４ａと、第２のコネクタ部８Ｃの第８の端子８７ｈと第１のコネクタ部８Ｂの第１の端子８６ａとを接続する第２の信号線８４ｂとからなる。
【００６４】
本実施の形態に係る信号伝送装置１００は、送受信装置５の特徴的な構成により、ストレートケーブルとしての通信ケーブル７、及びクロスケーブルとしての通信ケーブル８の何れによって送受信装置５と受送信装置６とが接続されても、これらの両装置間で双方向の通信を行うことができるように構成されている。なお、通信ケーブル７及び通信ケーブル８のケーブル長は、前述の理由により、第１の実施の形態に係る通信ケーブル２と同様に６ｍ以下であることが望ましい。
【００６５】
（送受信装置の構成）
送受信装置５は、第１〜第４のポート５１〜５４を有し、これらの各ポートによって並行して通信を行うことが可能に構成されている。本実施の形態では、第１のポート５１及び第４のポート５４が送信及び受信を行うことが可能な送受信ポートとして、第２のポート５２及び第３のポート５３は受信のみを行う受信ポートとして構成されている。
【００６６】
第１のポート５１は、第１の受信増幅器５１１及び第１の送信増幅器５１２からなる第１の送受信部５１０を有している。第１の受信増幅器５１１の入力側は、コネクタ部５０の第１の端子５０ａに接続されている。また、第１の送信増幅器５１２の出力側はコネクタ部５０の第２の端子５０ｂに接続されている。
【００６７】
第２のポート５２は、第１の差動受信器５２０を有している。第１の差動受信器５２０の入力側は、コネクタ部５０の第３の端子５０ｃ及び第４の端子５０ｄに接続されている。
【００６８】
第３のポート５３は、第２の差動受信器５３０を有している。第２の差動受信器５３０の入力側は、コネクタ部５０の第５の端子５０ｅ及び第６の端子５０ｆに接続されている。
【００６９】
第４のポート５４は、第２の受信増幅器５４１及び第２の送信増幅器５４２からなる第２の送受信部５４０を有している。第２の受信増幅器５４１の入力側は、コネクタ部５０の第７の端子５０ｇに接続されている。また、第２の送信増幅器５４２の出力側はコネクタ部５０の第８の端子５０ｈに接続されている。
【００７０】
コネクタ部５０には、第１〜第８の端子５０ａ〜５０ｈを囲むように、導電性のシェル５０ｉが設けられている。シェル５０ｉは送受信装置５の基準電位に接続されている。
【００７１】
また、送受信装置５は、極性判定部５５と、極性反転部５６と、識別部５７と、切替部５８と、信号処理部５９とを有している。
【００７２】
極性判定部５５は、送受信装置５の初期化時に受送信装置６から受信した信号に基づいて、その信号の極性が逆極性が正極性かを判定する。
【００７３】
極性反転部５６は、極性判定部５５の判定の結果が「正極性」であったとき、受送信装置６から受信した信号の極性を反転することなく後段の識別部５７に出力する。また、極性反転部５６は、極性判定部５５の判定の結果が「逆極性」であったとき、その後に受信する受送信装置６からの信号の極性を反転して識別部５７に出力する。
【００７４】
図５は、極性判定部５５及び極性反転部５６の構成の具体例を示す概略の回路図である。
【００７５】
極性判定部５５は、第１〜第４のポート５１〜５４ごとに、それぞれ受信した信号の極性を判定する判定回路５１ａ〜５４ａを有している。この判定回路の構成は各ポートについて共通であるので、例として第１のポート５１の判定回路５１ａについて説明し、第２〜第４のポート５２〜５４の判定回路５２ａ〜５４ａについては対応する符号を付してその説明を省略する。なお、本実施の形態では、送受信装置５と受送信装置６とが通信ケーブル７（ストレートケーブル）で接続された場合には極性が反転せず、通信ケーブル８（クロスケーブル）で接続された場合に極性が反転するように、第１及び第２の受信増幅器５１１，５４１や、第１及び第２の送信増幅器５１２，５４２等が構成されている。
【００７６】
判定回路５１ａは、送受信装置５の初期化時に受送信装置６から受信する予め定められたビット長（例えば８ビット）のデータに基づいて、受信した信号の極性を判定する。受送信装置６から受信した信号のオン（１）又はオフ（０）の情報は、これらの信号を順次記憶するシフトレジスタ５１３に記憶される。このシフトレジスタ５１３の各レジスタ５１３ａ〜５１３ｈの内容は、メモリ５１４に予め記憶された内容と１ビットずつ比較器５１４ａ〜５１４ｈで比較され、その比較結果（１：一致、０：不一致）の論理積がアンドゲート５１５で演算される。メモリ５１４には、受送信装置６から受信した信号が逆極性の場合に得られるデータが予め記憶されている。
【００７７】
アンドゲート５１５は、受送信装置６から受信したデータとメモリ５１４に記憶されたデータとが一致した場合にオン信号を極性反転部５６に出力し、一致しなかった場合にはオフ信号を極性反転部５６に出力する。つまり、アンドゲート５１５は、受送信装置６から受信したデータが逆極性の場合にオン信号を出力し、正極性の場合にはオン信号を出力しない。このアンドゲート５１５この出力信号は、判定回路５１ａによる判定結果を示している。
【００７８】
極性反転部５６は、極性判定部５５の判定回路５１ａ〜５４ａによる判定結果（アンドゲート５１５〜５４５の出力信号）に基づいて、受送信装置６から受信した信号が逆極性であるとき、受送信装置６から受信した信号及び受送信装置６に送信する信号の極性を反転する反転回路５１ｂ〜５４ｂを有している。
【００７９】
反転回路５１ｂ〜５４ｂは、判定回路５１ａ〜５４ａの出力がクロック（ＣＫ）端子に入力されるＤフリップフロップ回路（以下「ＦＦ回路」という）５１６〜５４６を有している。各ＦＦ回路５１６〜５４６のデータ（Ｄ）端子は基準電位に接続されている。また、各ＦＦ回路５１６〜５４６のプリセット（ＰＲ）端子には、図略のパルス信号出力回路から電源オン後にパルス信号が入力され、このパルス信号によってＱ出力がオンに、￣Ｑ出力がオフにプリセットされる。
【００８０】
送受信装置５と受送信装置６とが通信ケーブル７（ストレートケーブル）で接続された場合には、受送信装置６から受信した信号の極性が反転しないので、Ｑ出力がオン、￣Ｑ出力がオフのままである。一方、送受信装置５と受送信装置６とが通信ケーブル８（クロスケーブル）で接続された場合には、受送信装置６から受信した信号の極性が反転するので、アンドゲート５１５〜５４５の出力信号により、Ｑ出力がオフ、￣Ｑ出力がオンとなる。
【００８１】
第１のポート５１における反転回路５１ｂは、３ステートバッファ５１６ａ，５１６ｂ、及び３ステートバッファ５１６ｂの前段部に設けられたインバータ５１６ｃを有している。３ステートバッファ５１６ａには、ゲート制御信号としてＦＦ回路５１６のＱ出力が入力される。３ステートバッファ５１６ｂには、ゲート制御信号としてＦＦ回路５１６の￣Ｑ出力が入力される。
【００８２】
３ステートバッファ５１６ａには、通信ケーブル７が接続された場合に第１の受信増幅器５１１が出力する信号が入力される。この３ステートバッファ５１６ａは、ＦＦ回路５１６のＱ出力がオンの場合には第１の受信増幅器５１１の出力信号を後段の識別部５７に出力し、Ｑ出力がオフの場合には、出力側がハイインピーダンス状態となる。
【００８３】
また、インバータ５１６ｃには、通信ケーブル８が接続された場合に受送信装置６に送信すべき信号が入力され、インバータ５１６ｃはこの信号を反転して３ステートバッファ５１６ｂに出力する。３ステートバッファ５１６ｂは、ＦＦ回路５１６の￣Ｑ出力がオンの場合にはインバータ５１６ｃから入力された信号を第１の送信増幅器５１２に出力し、￣Ｑ出力がオフの場合には、出力側がハイインピーダンス状態となる。
【００８４】
第２のポート５２における反転回路５２ｂは、３ステートバッファ５２６ａ，５２６ｂ、及び３ステートバッファ５２６ｂの前段部に設けられたインバータ５２６ｃを有している。３ステートバッファ５２６ａには、ゲート制御信号としてＦＦ回路５２６のＱ出力が入力される。３ステートバッファ５２６ｂには、ゲート制御信号としてＦＦ回路５２６の￣Ｑ出力が入力される。
【００８５】
３ステートバッファ５２６ａ及びインバータ５２６ｃには、第１の差動受信器５２０の出力信号が入力される。これにより、ＦＦ回路５２６のＱ出力がオンの場合には、第１の差動受信器５２０の出力が３ステートバッファ５２６ａによって後段の識別部５７に出力され、ＦＦ回路５２６の￣Ｑ出力がオンの場合には、第１の差動受信器５２０の出力がインバータ５２６ｃで反転され、３ステートバッファ５２６ｂによって後段の識別部５７に出力される。
【００８６】
第３のポート５３における反転回路５３ｂは、第２のポート５２における反転回路５２ｂと同様に構成されているので、対応する符号を付して説明を省略する。
【００８７】
第４のポート５４における反転回路５４ｂは、３ステートバッファ５４６ａ，５４６ｂ、及び３ステートバッファ５４６ａの前段部に設けられたインバータ５４６ｃを有している。３ステートバッファ５４６ａには、ゲート制御信号としてＦＦ回路５１６の￣Ｑ出力が入力される。３ステートバッファ５４６ｂには、ゲート制御信号としてＦＦ回路５４６のＱ出力が入力される。
【００８８】
３ステートバッファ５４６ｂには、通信ケーブル７が接続された場合に受送信装置６に送信すべき信号が入力される。これにより、３ステートバッファ５４６ｂは、ＦＦ回路５４６のＱ出力がオンの場合に、受送信装置６に送信すべき信号を第２の送信増幅器５４２に出力する。
【００８９】
また、インバータ５４６ｃには、通信ケーブル８が接続された場合に第２の受信増幅器５４１が出力する信号が入力される。インバータ５４６ｃは、この信号を反転して３ステートバッファ５４６ａに出力する。３ステートバッファ５４６ａは、ＦＦ回路５４６の￣Ｑ出力がオンの場合にはインバータ５４６ｃの出力信号を後段の識別部５７に出力し、￣Ｑ出力がオフの場合には、出力側がハイインピーダンス状態となる。上記各反転回路５１ｂ〜５４ｂが出力する第１〜第４の信号Ｓ１〜Ｓ４は、識別部５７に入力される。
【００９０】
図６は、識別部５７及び切替部５８の構成の具体例を示す概略の回路図である。
【００９１】
識別部５７には、極性判定部５５及び極性反転部５６を経て、信号の極性が逆極性の場合には極性反転された受送信装置６の第１〜第３ポート６１〜６３からの受信信号が、第１〜第４の信号Ｓ１〜Ｓ４の何れかとして入力される。識別部５７は、送受信装置５の初期化時に受送信装置６の第１〜第３ポート６１〜６３から送信される信号に基づいて、送受信装置５の第１〜第４のポート５１〜５４が受送信装置６の何れのポートに接続されているかを識別する。
【００９２】
切替部５８は、識別部５７の識別結果に基づいて第１〜第４のセレクタ５１９〜５４９の選択状態を変更し、送受信装置５の第１〜第４のポート５１〜５４の何れのポートによって受送信装置６の第１〜第３ポート６１〜６３からの信号を受信し、また受送信装置６の第４ポート６４へ信号を送信するかを切り替える。
【００９３】
識別部５７は、第１〜第４の比較器５１７，５２７，５３７，５４７と、第１〜第４のメモリ５１８，５２８，５３８，５４８とを有している。また、識別部５７は、送受信装置５の初期化時に受送信装置６の第１〜第３のポート６１〜６３から送信される、それぞれ異なる内容の予め定められたビット長（例えば８ビット）の識別データに基づいて、第１〜第４のポート５１〜５４の接続状態を識別する。
【００９４】
第１のメモリ５１８には、受送信装置６の第１のポート６１から送信される識別データと同一の内容の照合データが記憶されている。第２のメモリ５２８には、受送信装置６の第２のポート６２から送信される識別データと同一の内容の照合データが記憶されている。第３のメモリ５３８には、受送信装置６の第３のポート６３から送信される識別データと同一の内容の照合データが記憶されている。また、第４のメモリ５４８には、受送信装置６から識別データを受信しなかったことを示す全ビットが０の照合データが記憶されている。
【００９５】
第１の比較器５１７は、第１のメモリ５１８に記憶された照合データが、極性反転部５６の反転回路５１ｂが出力する第１の信号Ｓ１、反転回路５２ｂが出力する第２の信号Ｓ２、反転回路５３ｂが出力する第３の信号Ｓ３、反転回路５４ｂが出力する第４の信号Ｓ４のうち、何れの信号と一致するかを判別する。
【００９６】
同様に、第２の比較器５２７は、第２のメモリ５２８に記憶された照合データが、第１〜第４の信号Ｓ１〜Ｓ４の何れと一致するかを判別する。第３の比較器５３７は、第３のメモリ５３８に記憶された照合データが、第１〜第４の信号Ｓ１〜Ｓ４の何れと一致するかを判別する。第４の比較器５４７は、第４のメモリ５４８に記憶された照合データが、第１〜第４の信号Ｓ１〜Ｓ４の何れと一致するかを判別する。
【００９７】
第１の比較器５１７は、第１〜第４の信号Ｓ１〜Ｓ４のうち、第１のメモリ５１８に記憶された照合データと一致した信号が切替部５８の第１のセレクタ５１９から出力されるように、第１の選択信号を第１のセレクタ５１９に出力する。また、第２の比較器５２７は、第１〜第４の信号Ｓ１〜Ｓ４のうち、第２のメモリ５２８に記憶された照合データと一致した信号が切替部５８の第２のセレクタ５２９から出力されるように、第２の選択信号を第２のセレクタ５２９に出力する。同様に、第３の比較器５３７は、第１〜第４の信号Ｓ１〜Ｓ４のうち、第３のメモリ５３８に記憶された照合データと一致した信号が切替部５８の第３のセレクタ５３９から出力されるように、第３の選択信号を第３のセレクタ５３９に出力する。
【００９８】
また、第４の比較器５４７は、第１〜第４の信号Ｓ１〜Ｓ４のうち、第４のメモリ５４８に記憶された照合データと一致した信号に対応するポートに信号処理部５９からの信号が出力されるように、第４の選択信号を第４のセレクタ５４９に出力する。つまり、第４の比較器５４７は、送受信装置５の第１〜第４のポート５１〜５４のうち、受送信装置６からの識別データの信号を受信しなかったポートから、受送信装置６の第４ポート６４に信号を送信するように、第４のセレクタ５４９の選択状態を切り替える。上記の第１〜第４の選択信号は、識別部５７の識別結果を示す信号である。
【００９９】
信号処理部５９は、例えばＡＳＩＣ等のハードウェアや、予め記憶されたプログラムに従って動作するＣＰＵ等から構成され、第１〜第３のセレクタ５１９〜５３９から出力された信号（受送信装置６の第１〜第３のポート６１〜６３から送信された信号）に基づいて予め定められた内容の処理を実行し、また受送信装置６に送信すべき信号を第４のセレクタ５４９に出力するように構成されている。この信号処理部５９は、例えば受送信装置６から受信した信号の情報を一時記憶して他の装置に転送し、又は他の装置から受送信装置６に転送すべき情報を受け付けて一時記憶し、１ビットごとに出力する処理を行う。
【０１００】
（信号伝送装置の動作）
以上のように構成された信号伝送装置１００は、次のように動作する。
【０１０１】
信号伝送装置１００に電源が投入されると、受送信装置６の信号処理部６５は、第１〜第３のポート６１〜６３の第１〜第３の差動増幅器６１０〜６３０に、極性を判定するための極性判定データを示す信号、及びポートを識別するための識別データを示す信号をこの順序で出力する。第１〜第３の差動増幅器６１０〜６３０は、これらの信号を通信ケーブル７又は通信ケーブル８を介して送受信装置５に送信する。
【０１０２】
送受信装置５と受送信装置６が通信ケーブル７（ストレートケーブル）で接続された場合は、送受信装置５の第１の受信増幅器５１１、第１の差動受信器５２０、及び第２の差動受信器５３０によって受送信装置６の第１〜第３のポート６１〜６３からの信号を受信する。この受信信号は極性判定部５５に出力され、極性が判定されるが、前述のように本実施の形態では、通信ケーブル７が使用された場合には受送信装置６から受信した信号の極性が反転しないように構成されているので、極性反転部５６による極性の反転は行われない。
【０１０３】
一方、送受信装置５と受送信装置６が通信ケーブル８（クロスケーブル）で接続された場合は、送受信装置５の第２の受信増幅器５４１、第１の差動受信器５２０、及び第２の差動受信器５３０によって受送信装置６の第１〜第３のポート６１〜６３からの信号を受信する。この受信信号は極性判定部５５に出力され、極性が判定される。前述のように本実施の形態では、通信ケーブル８が使用された場合には受送信装置６から受信した信号の極性が反転するように構成されているので、極性判定部５５の判定結果に基づいて、極性反転部５６により受信信号の極性の反転処理が行われる。
【０１０４】
極性反転部５６が出力する第１〜第４の信号Ｓ１〜Ｓ４は識別部５７に入力される。識別部５７は、受送信装置６からの識別データによって送受信装置５の第１〜第４のポートが受送信装置６の何れのポートに接続されているかを識別し、この識別結果としての選択信号を切替部５８の第１〜第４のセレクタ５１９〜５４９に出力する。これにより、送受信装置５と受送信装置６との双方向の通信が可能となる。
【０１０５】
［第３の実施の形態］
次に、本発明の第３の実施の形態について説明する。第２の実施の形態では、極性判定部５５、極性反転部５６、識別部５７、及び切替部５８の各機能をハードウェアによって実現した場合について説明したが、本実施の形態では、これら各部の機能をＲＯＭ（Read Only Memory）等の記憶装置に予め記憶されたプログラムに従って動作するＣＰＵ（Central Processing Unit：中央演算処理装置）によって実現する。つまり、本実施の形態では、このＣＰＵが極性判定部５５、極性反転部５６、識別部５７、及び切替部５８として機能する。
【０１０６】
この場合、ＣＰＵは、第１の受信増幅器５１１又は第２の受信増幅器５４１、第２の差動受信器５２０、及び第３の差動受信機５３０によって受送信装置６から受信した信号の極性を判定する。この判定の結果「逆極性」であれば、その判定の結果を記憶し、それ以降に受信した信号の極性を論理反転する。
【０１０７】
また、ＣＰＵは、受送信装置６から受信した識別データの内容に基づいて、送受信装置５の第１〜第４のポート５１〜５４のそれぞれが受送信装置６の第１〜第４のポート６１〜６４の何れのポートに接続されているかを識別し、この識別結果の情報を記憶する。そして、この識別結果に応じて、第１〜第４のポート５１〜５４のうち、受送信装置６の送信ポートである第１〜第３のポート６１〜６３に接続されたポートによって受送信装置６からの信号を受信し、受送信装置６の受信ポートである第４のポート６４に接続されたポートによって受送信装置６へ信号を送信する。
【０１０８】
［他の実施の形態］
なお、本発明は、上記各実施の形態に限定されず、その要旨を変更しない範囲内で種々な変形が可能である。
【０１０９】
例えば、上記第２の実施の形態では、受送信装置６から受信した信号に基づいてその極性を判定し、その後さらにポートごとの接続状態を識別するように構成したが、受送信装置６から受信した信号が逆極性の場合にはクロスケーブルが接続されたと判断し、クロスケーブルの配線に応じて予め設定されたポートの接続状態に基づいて通信を行ってもよい。例えば、クロスケーブルである通信ケーブル８が接続された場合には、受送信装置６の第１のポート６１と送受信装置５の第４のポート５４、受送信装置６の第２のポート６２と送受信装置５の第３のポート５３、受送信装置６の第３のポート６３と送受信装置５の第２のポート５２、受送信装置６の第４のポート６４と送受信装置５の第１のポート５１がそれぞれ接続されるので、受送信装置６から受信した信号が逆極性の場合には、第１〜第４のセレクタ５１９〜５４９がこの接続状態に切り替えられるように極性判定部５５及び切替部５８を構成してもよい。このように送受信装置５を構成した場合には、識別部５７を省略することができる。
【０１１０】
また、上記第２の実施の形態では、通信ケーブル８が第１のコネクタ部８Ｂと第２のコネクタ部８Ｃとで全ての信号線の接続が逆になるように構成された場合について説明したが、これに限らず、一部の信号線の接続が逆になるように構成してもよい。例えば、第１のコネクタ部８Ｂの第１の端子８６ａが第２のコネクタ部８Ｃの第８の端子８７ｈに、第１のコネクタ部８Ｂの第２の端子８６ｂが第２のコネクタ部８Ｃの第７の端子８７ｇに接続され、第１のコネクタ部８Ｂの第７の端子８６ｇが第２のコネクタ部８Ｃの第２の端子８７ｂに、第１のコネクタ部８Ｂの第８の端子８６ｈが第２のコネクタ部８Ｃの第１の端子８７ａにそれぞれ接続され、他の端子はストレートケーブルである通信ケーブル７と同様に接続されるように構成してもよい。
【０１１１】
また、送受信装置５及び受送信装置６のポートの数や、両装置間で送信及び受信される信号によって表されるデータの内容にも特に制限はない。
【符号の説明】
【０１１２】
１，５ …送受信装置、２，７，８…通信ケーブル、２Ａ，７Ａ，８Ａ…本体部、２Ｂ，７Ｂ，８Ｂ…第１のコネクタ部、２Ｃ，７Ｃ，８Ｃ…第２のコネクタ部、３…送信装置、４…受信装置、６…受送信装置、１０…送受信部、１１…受信増幅器、１２…送信増幅器、１３…コネクタ部、１３ａ…第１の端子、１３ｂ…第２の端子、１３ｃ…シェル、１４…信号処理部、２０…差動信号線、２１…第１の信号線、２２…第２の信号線、２３…シールド線、２４ａ…第１の端子、２４ｂ…第２の端子、２４ｃ…シェル、２５ａ…第３の端子、２５ｂ…第４の端子、２５ｃ…シェル、３０…信号処理部、３１…差動増幅器、３２…コネクタ部、３２ａ…第１の端子、３２ｂ…第２の端子、３２ｃ…シェル、４０…信号処理部、４１…差動受信器、４２…コネクタ部、４２ａ…第１の端子、４２ｂ…第２の端子、４２ｃ…シェル、５０…コネクタ部、５０ａ〜５０ｈ…第１〜第８の端子、５０ｉ…シェル、５１〜５４…第１〜第４のポート、５１ａ〜５４ａ…判定回路、５１ｂ〜５４ｂ…反転回路、５５…極性判定部、５６…極性反転部、５７…識別部、５８…切替部、５９…信号処理部、６０…コネクタ部、６０ａ〜６０ｈ…第１〜第８の端子、６１〜６４…第１〜第４のポート、６５…信号処理部、７１〜７４…第１〜第４の差動信号線、７１ａ，７２ａ，７３ａ，７４ａ…第１の信号線、７１ｂ，７２ｂ，７３ｂ，７４ｂ…第２の信号線、７５…シールド線、７６ａ〜７６ｈ…第１〜第８の端子、７７ａ〜７７ｈ…第１〜第８の端子、７６ｉ，７７ｉ…シェル、８１〜８４…第１〜第４の差動信号線、８１ａ，８２ａ，８３ａ，８４ａ…第１の信号線、８１ｂ，８２ｂ，８３ｂ，８４ｂ…第２の信号線、８５…シールド線、８６ａ〜８６ｈ…第１〜第８の端子、８７ａ〜８７ｈ…第１〜第８の端子、８６ｉ，８７ｉ…シェル、１００…信号伝送装置、１０１，１０２…信号伝送装置、５１０…第１の送受信部、５１１…第１の受信増幅器、５１２…第１の送信増幅器、５１３，５２３，５３３，５４３…シフトレジスタ、５１４，５２４，５３４，５４４…メモリ、５１５，５２５，５３５，５４５…アンドゲート、５１６，５２６，５３６，５４６…ＦＦ回路、５１６ａ，５１６ｂ，５２６ａ，５２６ｂ，５３６ａ，５３６ｂ，５４０…第２の送受信部、５４６ａ，５４６ｂ…３ステートバッファ、５１６ｃ，５２６ｃ，５３６ｃ，５４６ｃ…インバータ、５１７，５２７，５３７，５４７…比較器、５１８，５２８，５３８，５４８…メモリ、５１９，５２９，５３９，５４９…セレクタ、６１０，６２０，６３０…第１〜第３の差動増幅器、Ｓ１〜Ｓ４…第１〜第４の信号
【図１】
0005659799.tif 000002
【図２】
0005659799.tif 000003
【図３】
0005659799.tif 000004
【図４】
0005659799.tif 000005
【図５】
0005659799.tif 000006
【図６】
0005659799.tif 000007